(57)【特許請求の範囲】
【請求項１】
デジタル画像のアセットデータを標準化した形式へと処理するためのデジタルカメラシステムであって、
デジタルカメラのアセットデータの格納方式を、いくつかのアセットノーマライザの所定の集合のうち最も良く利用されるアセットノーマライザのディレクトリパターンとファイル名パターンと画像メタデータパターンと自動的に照合するための比較コンポーネントであって、該各パターンとの一致の度合いをフレームワークによりスコア付けした結果に基づいて、最良のスコアを有するアセットノーマライザを決定するものである比較コンポーネントと、
前記最も良く利用されるアセットノーマライザに従って、前記デジタルカメラのアセットデータを標準化した形式へと処理するために、前記比較コンポーネントに接続されたアセット処理コンポーネントと
を含んでなるデジタルカメラシステム。
【請求項２】
前記比較コンポーネントは、前記デジタル値およびメタデータの一集合を、前記デジタル値およびメタデータの所定の集合の特性と比較し、一致するものが存在するかどうかを判定することを含む請求項１に記載のデジタルカメラシステム。
【請求項３】
前記比較コンポーネントは、ディレクトリパターンと、ファイル名パターンと、画像メタデータパターンとのうちの少なくとも１つを備える情報を含むものである請求項１に記載のデジタルカメラシステム。
【請求項４】
前記比較コンポーネントが一致する前記アセットデータの格納方式を見出せないとき、前記比較コンポーネントは、一致する該アセットデータの格納方式が見出せなかったことをユーザに示す請求項１に記載のデジタルカメラシステム。
【請求項５】
前記比較コンポーネントが一致する前記アセットデータの格納方式を見出せないとき、前記アセット処理コンポーネントが、代わりのアセットノーマライザを用いる請求項１に記載のデジタルカメラシステム。
【請求項６】
前記アセットノーマライザの所定の集合は、ファイルの識別子および目的を明示的すること、ファイル間の関係を明示的にすること、ファイルのデータおよびメタデータを抽出すること、必要に応じてファイルの形式を変換すること、および、関連のフレームワークを特定のアセットデータタイプに添付することのうちの少なくとも１つを含むものである請求項１に記載のデジタルカメラシステム。
【請求項７】
デジタルカメラのデジタル画像のアセットデータを標準化した形式へと処理するための方法であって、
前記デジタルカメラのアセットデータの格納方式を、いくつかのアセットノーマライザの所定の集合から最も良く利用されるアセットノーマライザのディレクトリパターンとファイル名パターンと画像メタデータパターンと自動的に照合するステップであって、該各パターンの一致の度合いをフレームワークによりスコア付けした結果に基づいて、最良のスコアを有するアセットノーマライザを決定するものである、照合するステップと、
前記最も良く利用されるアセットノーマライザに従って、前記デジタルカメラのアセットデータを標準化した形式へと処理するステップと
を含んでなる方法。
【請求項８】
前記アセットのデータ格納方式を自動的に照合するステップは、アセットデータおよびメタデータの一集合を、アセットデータおよびメタデータの所定の集合の特性と比較し、一致するものが存在するかどうかを判定する請求項７に記載の方法。
【請求項９】
前記アセットデータを標準化した形式へと処理するステップは、ファイルの識別子および目的を明示的にすること、ファイル間の関係を明示的にすること、ファイルのデータおよびメタデータを抽出すること、必要に応じてファイルの形式を変換すること、および、関連のフレームワークを特定のアセットデータタイプに添付することのうちの少なくとも１つを含む請求項７に記載の方法。
【発明の詳細な説明】
【０００１】
【発明の属する技術分野】
本発明は、デジタルカメラ記憶部の処理に関する。
【０００２】
【従来の技術】
カメラの進歩に伴って、デジタルカメラは開発されてきた。デジタルカメラは、フィルム上ではなくデジタル形式で画像を記録する点において、フィルムをベースとしたカメラとは異なる。デジタルカメラは、通常、電荷結合素子（以下、「ＣＣＤ」とよぶ。）または相補型金属酸化膜半導体（以下、「ＣＭＯＳ」とよぶ。）センサを用いる。ＣＣＤは、光を電荷へと変換する感光性ダイオードまたはフォトサイト（photosites）の１つの集合である。光が明るくなるほど、より多くの電荷が生成される。ＣＭＯＳセンサはまた、光を電荷へと変換する。ＣＭＯＳセンサは各画素を個別に読み取り、ＣＣＤセンサはチップにわたって電荷を移送する。蓄積された電荷はデジタル値へと変換される。しかし、デジタルカメラ記憶装置の業界は歴史が浅いため、画像のデジタル値を格納するためにいくつかの異なる方式が用いられている。いくつかのデジタルカメラは、関連のカメラからアセット（asset）をアンロードするために用いられるソフトウェアを備えて製造されるが、アセットは、通常、それらが格納されていたのと同じ形式で抽出され、単一のディレクトリに集められる。
【０００３】
最新のデジタルカメラは、ＪＥＩＤＡの１９９９年１月７日の標準的なカメラファイルシステム規格（the standard Design rule for Camera File system：以下、「ＤＣＦ」とよぶ。）に類似したファイルシステム編成を用いる。しかし、ＤＣＦの仕様およびデジタルカメラ製造者の慣例によって、写真、映画、音声、メタデータ等のデジタルアセットの体系は依然としてかなり異なり、デジタルカメラコンテンツを様々なソフトウェアおよびハードウェア製品にわたって容易に用いることができるようにする一定の目標に対して大きな障害を与えている。多くのユーザは、大抵の場合、デジタルスチルカメラ（digital still camera：以下、「ＤＳＣ」とよぶ。）のアセットを、ユーザ固有の様式により各自のコンピュータに手動で転送している。デジタルカメラには、デジタルカメラ画像データを格納するための標準的な方式がない。
【０００４】
【発明が解決しようとする課題】
上記のように、従来のデジタルカメラには、デジタルカメラコンテンツを様々なソフトウェアおよびハードウェア製品にわたって容易に用いるための標準的な方式がない。
【０００５】
【課題を解決するための手段】
本発明は、デジタルカメラのデジタル画像アセットを自動的に処理することを提供する。
【０００６】
【発明の実施の形態】
ユーザは、格納された画像をデジタルカメラからアンロードし、それらを見たいと所望するが、デジタルカメラは、デジタルデータ／アセットを、カメラに固有の編成および取り込まれたアセットのネーミングを用いて、関連するメタデータと共に格納しているため、多種多様なカメラからのデータを処理することは困難である。本発明は、この問題に対する解決法を提供する。図１に示されるように、本発明の実施形態１００は、アセットおよびメタデータの特定の集合を処理するために用いられる方式を自動的に識別すること（１０２）、およびそのアセットおよびメタデータを即座にまたは後に用いられ得る標準的な構造へと処理すること（１０４）を提供する。１つの実施形態では、方式を自動的に識別することは、アセットおよびメタデータの一集合と、アセットおよびメタデータの所定の集合との特性を比較し、一致点が存在するかどうかを判定することを含みうる。
【０００７】
デジタルスチルカメラは、人気のある製造部門であり、多くの新しいモデルが、いくつかの製造業者および多くのブランド名で定期的に出現している。デジタルカメラの設計および製造が様々な外部の製造業者に外注に出されると、カメラが同じブランドであっても、カメラの設計および能力がさらに異なるようである。ユーザがデジタルカメラを用いて写真、映像クリップ、音声クリップ等を記録すると、ユーザは、通常、鑑賞等のさらなる使用のために、取り込まれたアセットまたはデータをカメラからアンロードしたいと思う。デジタルカメラによって、ユーザは、通常、ケーブル接続または無線接続を用いて、カメラを汎用コンピュータまたは特別な電子デバイスに直接に接続することができる。あるいは、多くのＤＳＣは、ユーザがカメラから取り外し、関連の記憶部コネクタを用いてコンピュータまたはデバイスに接続することができるディスクまたはメモリカード等の取り外し可能な記憶部を有する。このように、取り込まれたアセットは、取り込まれたアセットおよびメタデータがカメラ固有のファイルおよびディレクトリの一集合で編成されるファイルシステムの形態で、デバイスのオペレーティングシステムによってアクセス可能になる。
【０００８】
本発明の実施形態は、出所不明のアセットおよびメタデータの特定の集合を処理するために必要な方式を自動的に識別することと、より統一された様式でさらに使用するために標準的な構造へとアセットおよびメタデータの一集合を処理することができる、アセットの正規化のシステムとを提供する。
【０００９】
アセットデータの正規化は、様々なデバイスまたはプロセスによって支持されるような複数の方法で構成されたアセットデータおよびメタデータの一集合を、特定の対象デバイスまたはプロセスによって支持される首尾一貫した様式で構成されるアセットデータおよびメタデータの一集合へと変換するプロセスである。このプロセスは、ファイルの識別子および目的を明示的にすること、ファイル間の関係を明示的にすること、必要に応じてファイルのデータおよびメタデータを抽出すること、必要に応じてファイルの形式を変換すること、関連のフレームワークを特定のアセットデータタイプに添付すること、およびその他の再構成タスクを含みうる。
【００１０】
アセット正規化プロセスの出力は、再構成された元のアセットのファイルおよびディレクトリの一集合、正規化された形式へと再構成された複写ファイルおよびディレクトリの一集合、または元のデータを複写も改変もせずに正規化形式でアセットを表すように構成され、注釈を付けられた元のアセットの目録（manifest）および索引を含む、いくつかの形態がありうる。
【００１１】
本発明の１つの実施形態では、アセットノーマライザへの入力は、処理されるファイルシステムにおける特定のファイルおよびディレクトリの一集合である。１つの実施形態では、アセットノーマライザの出力は、すべてのファイルに対する参照およびアセットノーマライザが入力に関連すると判断するメタデータの一集合を含むＸＭＬ形式ファイルである。これは、アセットノーマライザに既知の知識およびヒューリスティックス（heuristics：または、発見的方法）に基づいて、ファイルシステムにさらなる関連のファイルを発見するように問い合わせることによって発見されるさらなるファイルを含みうる。
【００１２】
出力ファイルのコンテンツは、ユーザにとって関心のある結果を生み出すアセット処理方式によって規定される構造に準拠する。この出力構造を用いて索引を付けられ参照されるファイルおよびデータの一集合は、元のファイルシステムおよびアセット構造に関係なく首尾一貫した様式でさらに処理され得る正規化形式では表されない。
【００１３】
例えば、正規化出力構造に存在する情報は、（例えば、静止画像および音声等の）利用可能なすべてのデータを用いて、静止画像と、静止画像および音声と、映像クリップおよび音声クリップとを取り込まれたシーケンスで再生する音声−映像表現へとこれらのアセットを処理できるようにするであろう。このように、アセットは、ユーザが使いやすい構造で再生され、デジタルカメラの映像出力ジャックをテレビなどの外部デバイスに直接に差し込むことによって大抵のユーザが同じ視聴結果（experience）を得ることができる。ただし、このような視聴結果は、いったんデジタルアセットがカメラからアンロードされると得られない。
【００１４】
アセット正規化は、特に、様々なソースから得られるデータを組み立てて処理するデータセンターの運用において、当業者に既知である。当業者は、様々な可能な入力コンテンツおよび正規化出力構造があることを認識するであろう。本発明は、動的なアセットノーマライザの一集合がシステムに存在することができるデジタルカメラから得られるアセットにアセット正規化の原理を適用し、自動化手法によってアセットノーマライザを選択する。
【００１５】
本発明は、利用可能なアセットノーマライザの一集合が制約なしに成長、縮小および変化することができるように、特定のデジタルカメラアセットに用いる適当なアセットノーマライザを自動的に識別する。アセットノーマライザは、利用可能な所定のアセットノーマライザの一集合を含む「フレームワーク（framework）」によって管理され、「フレームワーク」は、現在のアセットに対して最も良く利用されるアセットノーマライザを識別する。
【００１６】
利用可能なアセットノーマライザの一集合は、動的に変化することができる。例えば、デバイスは、基本のアセットノーマライザの一集合と共に出荷され、さらなるソフトウェアが加えられる場合等の複数の仕方でアセットノーマライザを拡張することができる。デジタルスチルカメラまたは他の取り込みデバイスは、アセット記憶部の一部としてアセットノーマライザを含むことさえあり、アセットの一集合はアセットノーマライザソフトウェアも含むようにすることができる。フレームワークは、アセット記憶部の一部としてアセットノーマライザを識別し、自動識別プロセス中に考慮される利用可能なアセットノーマライザの一集合にフレームワークを含むようにすることができる。
【００１７】
各アセットノーマライザは、ノーマライザをＤＳＣアセットの所与の一集合と一致させる１つ以上の機構を提示する。これらの機構は、多くの形態を取ることができるが、通常、問題となっている実際のアセットデータの様々な特性と、アセットノーマライザが適当な処理ができるように要求するアセットデータの特性とをアセットノーマライザに比較させるかまたは予め比較させておき、一致の程度または質を示すスコアをそれぞれの比較に割当てる。利用可能なアセットノーマライザの一集合および一致テストの結果から、フレームワークは、利用可能なアセットデータと最も一致するアセットノーマライザを識別する。
【００１８】
本発明の１つの実施形態では、３個の情報が各アセットノーマライザによって表される。各情報は正規表現（regular expression）である。正規表現とは、単一の特定のテキストシーケンスだけでなく、様々なテキストシーケンスと一致し得るパターンを指定する手段である。各アセットノーマライザに関連する３個の情報は、ディレクトリパターンと、ファイル名パターンと、画像メタデータパターンとである。各パターンは、正規表現言語によって課せられる制約内で任意に複合化することができる。大抵のＵｎｉｘ（登録商標）型オペレーティングシステムによってサポートされる「拡張ｒｅｇｅｘｐ(extended regexp)」言語等のリッチ（rich）な正規表現言語は、多くのアプリケーションに対して適当でありうる。
【００１９】
フレームワークは、各アセットノーマライザから３つのパターンを要求する。そして、フレームワークは、各パターンをアセットデータの適当な局面に適用し、アセットデータとパターンとの間の「一致」の度合いをスコア付けする。各ハンドラーのパターンのそれぞれをアセットデータに適用した後に、フレームワークは、最良のスコアを有するアセットノーマライザを決定することができる。このアセットノーマライザは、アセットデータの一集合に適用される「最良の」アセットノーマライザとなる。ハンドラーのいずれのパターンも一致しない場合には、アセットを処理するためにいずれの技術手法も適用されないか、または代わりの手法を適用することができる。
【００２０】
このように、本発明の実施形態は、単一の製造者のすべてのカメラ等の非常に広い範囲のカメラモデルに関して機能するように規定されたアセットノーマライザを提供するか、または、特定のカメラに関してのみ機能するようにアセットノーマライザを厳密に規定するかもしくは上記の２つのシステム間にある所望のシステムにアセットノーマライザを選択することができる。
【００２１】
１つの実施形態では、アセットノーマライザは、所定のロケーション下にあるすべてのディレクトリに対して深さ２までアルファベット順に前順走査（preorder traversal）を行ない、ディレクトリ名をスペースなしで連結することによって遭遇するディレクトリ名に基づいて、ディレクトリパターンを提供する。ディレクトリパターンは、対応するアセットデータの特性との一致についてテストされる。
【００２２】
１つの実施形態では、ＪＰＧ、ＴＩＦ、ＧＩＦ、ＭＯＶ、ＡＶＩおよびディレクトリ内の他の画像タイプファイルを調べ、可能な名前を記述するパターンを指定することによってファイル名パターンを組み立てることができる。ファイル名パターンは、対応する実際のアセットデータとの一致についてテストされる。
【００２３】
１つの実施形態では、画像メタデータパターンは、代表的なサポートファイルからのメタデータを調べることによって形成される。パターンは、アセットノーマライザによってサポートされるカメラからの画像内に埋め込まれた、スペースなしでのカメラの型とカメラモデルのメタデータとの連結に基づく。動作中に、アセットデータは、ＥＸＩＦに準拠しているＪＰＥＧ画像内の情報等の画像内に埋め込まれたカメラメタデータを用いることによって特徴付けられる。画像メタデータパターンは、対応するアセットデータの特性との一致についてテストされる。
【００２４】
本発明の実施形態では、ファイルおよびディレクトリ名のパターンによるパターンとそれらが設計されるカメラメタデータとを識別するアセットノーマライザの一集合を組み立てることができる。利用可能なアセットノーマライザの一集合は、未知のデジタルカメラアセットと照合され、パターンが最も良く一致するアセットノーマライザが選択される。そして、選択されたアセットノーマライザは、所与の一集合を標準的な構造へと変換して処理する。
【００２５】
図２の符号２００は、本発明に従ったステップの１つの実施形態を示すフローチャートである。デジタルカメラのアセット方式を、アセットノーマライザの所定の一集合から最良の利用可能なアセットノーマライザと自動的に照合するステップ（２０２）と、当該最良の利用可能なアセットノーマライザに従って標準的な構造へとデジタルカメラのアセットを処理するステップ（２０４）とを用いて、デジタルカメラのデジタル画像アセットを処理するアセット正規化方法が提供される。アセット方式を自動的に照合するステップは、一致が見出されない場合には、一致が見出されなかったことをユーザに示すことを含みうる。通常、デジタルカメラのアセットを処理するステップは、アセット正規化を含む。
【００２６】
１つの実施形態では、アセット正規化は、少なくとも、ファイルの識別子および目的を明示的にすること、ファイル間の関係を明示的にすること、ファイルのデータおよびメタデータを抽出すること、必要に応じてファイルの形式を変換すること、または関連のフレームワークを特定のアセットデータタイプに添付することを含みうる。１つの実施形態では、アセット正規化は、ファイルの参照および入力に関連すると判断されたメタデータの一集合を含むＸＭＬ形式のファイル出力を提供することができる。一般に、ＸＭＬ形式のファイル出力は、アセットノーマライザの知識およびヒューリスティックスに基づいてさらなる関連ファイルを発見するようにファイルシステムに問い合わせることによって発見されるファイルを含みうる。さらに、処理は、音声−映像表現、静止画像、静止画像および音声クリップ、映像クリップ、および／または、音声クリップ等のユーザが使いやすい構造へと標準構造を処理することを含みうる。ここで、標準構造とは、デジタルカメラからのデジタルアセットデータに基づいて、外部デバイスにおいて情報を見たり聞いたりすることができるようなユーザが使いやすい構造である。
【００２７】
図３の符号３０１は、本発明に従ったデジタルカメラシステム３００の１つの実施形態のブロック図である。デジタルカメラシステム３００は、デジタル画像アセットを処理して標準的な形式にし、デジタルカメラのアセット方式の所定の集合をアセットノーマライザから最良の利用可能なアセットノーマライザと自動的に照合するための比較コンポーネント３０２と、比較コンポーネント３０２と連結されたアセット処理コンポーネント３０４とを含む。アセット処理コンポーネント３０４は、最も良く利用されるアセットノーマライザに従って、デジタルカメラのアセットを処理して標準的な形式にする。比較コンポーネント３０２が一致するアセット方式を見出せない場合には、このコンポーネントは、一致するものが見出せなかったことをユーザに示すか、または代わりの手法を用いることができる。
【００２８】
１つの実施形態では、アセット処理コンポーネント３０４は、さらに十分に上述したアセット正規化を実施する。
【００２９】
アセット正規化は、ファイルの識別子および目的を明示的にすること、ファイル間の関係を明示的にすること、ファイルのデータおよびメタデータを抽出すること、必要に応じてファイルの形式を変換すること、および／または、関連のフレームワークを特定のアセットデータタイプに添付することを含みうる。
【００３０】
１つの実施形態では、アセット正規化は、ファイルの参照および入力に関連すると判断されたメタデータの一集合を含むＸＭＬ形式のファイル出力を提供する。ＸＭＬ形式のファイル出力は、アセットノーマライザの知識およびヒューリスティックスに基づいて、ファイルシステムにさらなる関連のファイルを発見するように問い合わせることによって発見されたファイルを含み、必要に応じて、音声−映像表現、静止画像、静止画像および音声クリップ、映像クリップ、および／または、音声クリップのために、ユーザが使いやすい構造へと標準的な形式を処理することができる。また、必要に応じて、処理は、例えば、テレビ等の外部デバイスにおいて見たり聞いたりするために、ユーザが使いやすい構造を提供することができる。
【００３１】
１つの実施形態では、比較コンポーネント３０２は、一致の質を示すスコアを各比較に割当て得る。この場合、最も高いスコアは、最良の一致の質を示すスコアである。
【００３２】
図４の符号４０１は、本発明に従ったコンピュータに読み取り可能な記録媒体４００の１つの実施形態のブロック図である。コンピュータに読み取り可能な記録媒体４００は、デジタルカメラのアセット方式をアセットノーマライザの所定の集合から最良の利用可能なアセットノーマライザと自動的に照合すること（４０２）、および当該最も良く利用されるアセットノーマライザに従ってデジタルカメラのアセットを標準的な形式へと処理すること（４０４）によって、デジタルカメラからのデジタル画像アセットを標準的な形式へと処理するための命令を含む。図４の説明においてより十分に上述したように、所望に応じて、アセット方式を自動的に照合することおよびアセットを処理することをさらに特徴づけることができる。
【００３３】
図５〜図８および図９は、本発明の方法を実施する１つの実施形態を示す。図５の符号５０１は、特定のアセットノーマライザが要求されているかどうかを判定するステップ５０２と、要求されたアセットノーマライザが利用可能かどうかを判定するステップ５０４とを提示する。ステップ５０２および５０４に対する答えが共に「はい」である場合には、ユーザは、ステップ５１２に進み、使用するアセットノーマライザが見出されたことを示す。ステップ５０２またはステップ５０４のいずれかに対する答えが「いいえ」である場合には、システムは、デジタルカメラのアセット方式を、最も良く利用されるアセットノーマライザと自動的に照合するかどうかを判定する（ステップ５０６）。アセット方式の自動的照合が選択されると、ディレクトリ名によって照合されるかどうかを問い合わせるステップ５２０が実施される。ステップ５２０以降のさらなるステップについては以下を参照されたい。
【００３４】
デジタルカメラのアセットデータを格納する方式が最も良く利用されるアセットノーマライザとは一致しない場合には、代わりのアセットノーマライザを用いるかどうかを判定するステップ５０８が実施される。図６の符号５０３に示されるように、アセットノーマライザが見出される（５１２）か、一致が見出されない（５１０）かに関係なく、アセットノーマライザが利用可能かどうかが判定される（５１４）。アセットノーマライザが利用可能な場合には、例えば図９に示されるように（さらに以下の説明を参照のこと）、利用可能なアセットノーマライザを用いてアセットを処理することができる（５１８）。アセットノーマライザが得られない場合には、一致するアセットノーマライザは見出せなかったことを示す指示が提供される（５１６）。
【００３５】
図７の符号５０５に示されるように、ステップ５２０において、ディレクトリ名による一致があるかどうかがテストされる。ディレクトリ名による一致がある場合、デジタルカメラのアセット方式は、ディレクトリ名によって特徴づけられる（ステップ５２２）。例えば、サブディレクトリの順走査が行われ、ディレクトリ名を連結することができる。次に、ディレクトリ名の一致があるか否かに関係なく、ステップ５２４では、ファイル名による一致があるかどうかをテストする。ファイル名による一致がある場合には、デジタルカメラのアセット方式は、ファイル名によって特徴付けられえる（ステップ５２６）。例えば、ファイルの名称を供給されるパスから抽出することができる。次に、ファイル名による一致があるかどうかには関係なく、ステップ５２８では、画像メタデータによる一致があるかどうかをテストする。画像メタデータによる一致がある場合には、デジタルカメラのアセット方式を画像メタデータによって特徴付けることができる（ステップ５３０）。例えば、カメラの型および／またはモデルを、特性の属性として画像メタデータから抽出することができる。次に、アセットノーマライザの一集合が決定される（ステップ５３２）。
【００３６】
次に、図８の符号５０７に示されるように、各アセットノーマライザに対して、アセットノーマライザに対する総合スコアを決定するためにステップの集合５３４を用いることができる。まず、ステップ５３６では、ディレクトリ名による一致が確認されるかどうかがテストされる。一致がある場合には、ディレクトリ名に対するアセットノーマライザパターンの一致を、デジタルカメラアセット方式特性を用いてスコア付けすることができる（ステップ５３８）。そして、ディレクトリ名による一致があったかどうかに関係なく、ステップ５４０では、ファイル名による一致が確認されるかどうかがテストされる。一致がある場合には、ファイル名に対するアセットノーマライザパターンの一致を、デジタルカメラアセット方式特性を用いてスコア付けすることができる（ステップ５４２）。そして、ファイル名による一致があったどうかに関係なく、ステップ５４４では、画像メタデータによる一致が確認されうかどうかがテストされる。一致がある場合には、画像メタデータに対するアセットノーマライザパターンの一致を、デジタルカメラアセット方式特性を用いてスコア付けすることができる（ステップ５４６）。画像メタデータの一致があったどうかに関係なく、アセットノーマライザに対して総合スコアが決定される（ステップ５４８）。次に、いずれかのアセットノーマライザがデジタルカメラアセット方式特性と一致することが見出されたどうかを判定するために質問がなされる（ステップ５５０）。アセットノーマライザの一致が見出されない場合には、質問５０８が実施される（残りのステップについては上記を参照のこと）。少なくとも１つのアセットノーマライザがデジタルカメラアセット方式特性と一致することが見出される場合には、最も一致するアセットノーマライザが、デジタルカメラアセット方式５５２に対して選択される（ステップ５５２）。例えば、１つの実施形態では、最も高いスコアを有するアセットノーマライザを選択することができる。次に、ステップ５１２が実施される。
【００３７】
上記のように、本発明による方法、デジタルカメラシステム、およびコンピュータに読み取り可能な記録媒体が記載されている。本発明の趣旨および範囲から逸脱せずに、本明細書に記載され例示される手法および構造に対して多くの改変および変形を行うことができる。したがって、本明細書に記載される方法、デジタルカメラシステムおよびコンピュータに読み取り可能な記録媒体は、例示のみを目的としており、本発明の範囲を限定するものではないことを理解されたい。
【図面の簡単な説明】
【図１】本発明の１つの実施形態による方法のステップを示すフローチャートである。
【図２】本発明の別の実施形態による方法のステップを示すフローチャートである。
【図３】本発明の１つの実施形態によるデジタルカメラシステムのブロック図である。
【図４】本発明の１つの実施形態によるコンピュータに読み取り可能な記録媒体のブロック図である。
【図５】本発明の１つの実施形態による方法のステップを示すフローチャートである。
【図６】本発明の１つの実施形態による方法のステップを示すフローチャートである。
【図７】本発明の１つの実施形態による方法のステップを示すフローチャートである。
【図８】本発明の１つの実施形態による方法のステップを示すフローチャートである。
【図９】本発明の１つの実施形態による方法のステップを示すフローチャートである。
【図１】
0003802877.tif 000002
【図２】
0003802877.tif 000003
【図３】
0003802877.tif 000004
【図４】
0003802877.tif 000005
【図５】
0003802877.tif 000006
【図６】
0003802877.tif 000007
【図７】
0003802877.tif 000008
【図８】
0003802877.tif 000009
【図９】
0003802877.tif 000010